(57)【要約】【課題】室内熱交換器の温度が圧縮機停止の保護制御がはたらく付近まで温度が上昇した場合には、吹出風が高温のために浮き上がってしまい足下まで温風が到達できず足下が寒く、また部屋の上方にばかり暖気が滞留し、快適性が損なわれる。【解決手段】熱交換器と、前記熱交換器に通風させる送風手段と、前記送風手段により吹出される風の被空調空間への上下方向の吹出し方向を変更する風向変更手段と、前記熱交換器の温度を検知する温度検出手段を備え、暖房運転時に、前記温度検出手段により検出された熱交換器温度に応じて、予め設定された前記風向変更手段の角度を変更する。【選択図】図１ 
2005201490.tif 000002
【特許請求の範囲】
【請求項１】
熱交換器と、前記熱交換器に通風させる送風手段と、前記送風手段により吹出される風の被空調空間への上下方向の吹出し方向を変更する風向変更手段と、前記熱交換器の温度を検知する温度検出手段を備え、暖房運転時に、前記温度検出手段により検出された熱交換器温度に応じて、予め設定された前記風向変更手段の角度を変更することを特徴とする空気調和機。
【請求項２】
温度検出手段により検出された熱交換器温度が所定温度Ｔ１以上の場合には、現状の風向変更手段の姿勢を更に下方に変更することを特徴とする、請求項１に記載の空気調和機。
【請求項３】
所定温度Ｔ１は、高圧により圧縮機停止の保護制御が働く温度Ｔ０と、送風の吹出し温度低温のために送風方向を略水平とする制御を行う上限温度との間で設定されていることを特徴とする、請求項１〜２のいずれかに記載の空気調和機。
【請求項４】
送風手段の回転数が所定値以上の時には、風向変更手段の姿勢変更は行わないことを特徴とした、請求項１〜３のいずれかに記載の空気調和機。
【発明の詳細な説明】
【技術分野】
【０００１】
本発明は空気調和機の暖房運転時の風向制御に関するものである。
【背景技術】
【０００２】
従来、暖房運転開始時や除霜運転終了直後においては、吹出し温度が低いため、快適性を損なわないように室内熱交換器の温度が所定値よりも低い時には、風向変更羽根を略水平の向きに制御し、室内熱交換器の温度が所定値よりも高くなった時は、風向変更羽根を下方に制御することにより直接使用者に当たらないようにしている（例えば、特許文献１参照）。
【特許文献１】特開平８−２０２９６３号公報
【発明の開示】
【発明が解決しようとする課題】
【０００３】
しかしながら、前記従来の技術では、室内熱交換器の温度が圧縮機停止の保護制御がはたらく付近まで温度が上昇した場合には、吹出風が高温のために浮き上がってしまい足下まで温風が到達できず足下が寒く、また部屋の上方にばかり暖気が滞留し、快適性が損なわれるという課題があった。
【課題を解決するための手段】
【０００４】
前記従来の課題を解決するために本発明の空気調和機は、熱交換器と、前記熱交換器に通風させる送風手段と、前記送風手段により吹出される風の被空調空間への上下方向の吹出し方向を変更する風向変更手段と、前記熱交換器の温度を検知する温度検出手段を備え、暖房運転時に、前記温度検出手段により検出された熱交換器温度に応じて、予め設定された前記風向変更手段の角度を変更するようにしたものである。
【０００５】
これによって、吹出風の温度が非常に高いときにおいても吹出風の浮き上がりを防止し、温風を足下まで到達できるため快適性の向上が図れる。
【発明の効果】
【０００６】
本発明の空気調和機は暖房運転時に、温度検出手段により検出された熱交換器温度に応じて、風向変更手段の角度を変更させるため、熱交換器温度が圧縮機の保護制御が作動するような高温であるときのように、吹出風の温度が非常に高いときにおいても吹出風の浮き上がりを防止し、温風を足下まで到達できるので快適性の向上という効果を奏する。
【発明を実施するための最良の形態】
【０００７】
第１の発明の空気調和機は、熱交換器と、前記熱交換器に通風させる送風手段と、前記送風手段により吹出される風の被空調空間への上下方向の吹出し方向を変更する風向変更手段と、前記熱交換器の温度を検知する温度検出手段を備え、暖房運転時に、前記温度検出手段により検出された熱交換器温度に応じて、予め設定された前記風向変更手段の角度を変更することにより、前記送風手段から吹出される吹出風の温度が非常に高いときにおいても吹出風の浮き上がりを防止し、温風を足下まで到達できるため快適性の向上が図れる。
【０００８】
第２の発明の空気調和機は、特に第１の発明の、温度検出手段により検出された熱交換器温度が所定温度Ｔ１以上の場合には、現状の風向変更手段の姿勢を更に下方に変更することにより、前記送風手段から吹出される吹出風の温度が非常に高いときにおいても吹出風の浮き上がりを防止し、温風を足下まで到達できるため快適性の向上が図れる。
【０００９】
また、前記風向変更手段の姿勢を更に下方に1段階のみ変更させることにより制御の簡素化と設計工数の低減が図れる。
【００１０】
第３の発明の空気調和機は、特に第１〜２のいずれかの発明の、所定温度Ｔ１は、高圧により圧縮機停止の保護制御が働く温度Ｔ０と、送風の吹出し温度低温のために送風方向を略水平とする制御を行う上限温度との間で設定することにより、圧縮機の信頼性確保と冷風感防止となり快適性の向上が図れる。
【００１１】
第４の発明の空気調和機は、特に第１〜３のいずれかの発明の、送風手段の回転数が所定値以上の時には、風向変更手段の姿勢変更は行わないことにより、暖房能力を低下させることなく快適性の向上が図れる。
【００１２】
以下、本発明の実施の形態について、図面を参照しながら説明する。なお、本発明の実施の形態によって、本発明が限定されるものではない。
【００１３】
（実施の形態1）
図1は、本発明の空気調和機の制御方法を採用した室内機の概略断面図を示しており、室内機４の本体上部及び前部には吸込口３０が形成されるとともに、本体下部には吹出口３２が形成されている。また、吸込口３０と吹出口３２とを連結する空気通路３４には熱交換器１８と送風手段である室内ファン２２が設けられており、室内ファン２２はファンモータ（図示せず）と連結されており、自在に回転数を可変できる。
【００１４】
また、吹出口３２には室内ファン２２から吹き出される送風の被空調空間への上下方向の吹出し方向を変更する風向変更羽根手段である風向変更羽根３６が設けられており、風向変更羽根３６はステッピングモータ（図示せず）と連結されており、揺動自在に角度を変更できる。前記熱交換器１８の温度を検知する温度検出手段である配管センサ２４は冷媒配管に当接した状態で取り付けられている。吸込温センサ２６は本体前部に隣接して配置されている。
【００１５】
図２は、空気調和機の制御系統を示したブロック図であり、室内機制御手段１４はマイクロコンピュータ等によって構成されており、リモコン４０からは運転モード（冷房・暖房・除湿）、設定温度Ｔｓ、風量設定、風向設定等の各信号を受信する。
【００１６】
また、室温検出手段１３は吸込温センサ２６によって検地された室温Ｔａを、配管温度検出手段２３は配管温センサ２４によって検出された配管温度Ｔｈを、それぞれ室内機制御手段１４に送出する。前記室内機制御手段１４はこれらの信号に基づいて、室内ファン制御手段６を介して室内ファン２２の回転数を弱、中風−、中風、中風＋、強風の５段階に制御し、風向変更羽根手段８を介して風向変更羽根３６の角度を略水平方向から下向き方向まで５段階に制御し、室外機制御手段１６を介して圧縮機の容量制御する。
【００１７】
以上のように構成された空気調和機について、以下その動作、作用を説明する。
【００１８】
図３は、第１の発明の空気調和機の制御方法を採用したフローチャート図である。
【００１９】
まず、リモコン４０にて暖房運転が開始されると（Ｓ１）、室温検出手段１３にて検出された室温Ｔａとリモコン４０からの設定温度Ｔｓを比較し（Ｓ２）、室温Ｔａが設定温度Ｔｓよりも低ければサーモオンとし、室外制御手段１６に圧縮機運転指令信号を出力する（Ｓ３）。Ｓ２にてサーモオンと判断された場合は、前記風向変更羽根３６を略水平に方向に設定される（Ｓ４）。Ｓ５にて、配管温度検出手段２３で検出された前記配管温度
Ｔｈが所定温度Ｔ１（例えば３５℃）よりも高いか否かと判断を行い、所定温度Ｔ１よりも高い場合は前記風向変更羽根３６をＶ１の風向角度に設定する（Ｓ６）。
【００２０】
また、しばらく暖房運転して前記配管温度Ｔｈが所定温度Ｔ２（例えば４８℃）、所定温度Ｔ３（例えば５１℃）、所定温度Ｔ４（例えば５３℃）と前記配管温度Ｔｈが上昇した場合は、前記配管温度Ｔｈに応じて、前記風向変更羽根３６の風向角度をＶ２、Ｖ３、Ｖ５と段階的に下方に設定される（Ｓ７〜Ｓ１２）。これにより、吹出風の浮き上がりを防止し、温風を足下まで到達できるため快適性の向上が図れる。
【００２１】
（実施の形態２）
以下、本発明の係る第２の実施の形態を説明する。なお、第２の実施の形態の基本的構成は、前記した第１の実施の形態と同一であり、第１の実施の形態と同一部品には同一の符号を寄与してその説明を省略する。
【００２２】
図４は、第２実施の形態の発明の空気調和機の制御方法を採用したフローチャート図である。
【００２３】
まず、リモコン４０にて暖房運転が開始されると（Ｓ１）、室温検出手段１３にて検出された室温Ｔａとリモコン４０からの設定温度Ｔｓを比較し（Ｓ２）、室温Ｔａが設定温度Ｔｓよりも低ければサーモオンとし、室外制御手段１３に圧縮機運転指令信号を出力する（Ｓ３）。Ｓ２にて、サーモオンと判断された場合は、前記風向変更羽根３６を下方に設定される（Ｓ４）。
【００２４】
Ｓ５にて、配管温度検出手段２３で検出された前記配管温度Ｔｈが所定温度Ｔ１（例えば４８℃）よりも高いか否かと判断を行い、所定温度Ｔ１よりも高い場合は、現状の前記風向変更羽根３６の姿勢を更に下方に変更する。
【００２５】
これにより、吹出風の浮き上がりを防止し、温風を足下まで到達できるため快適性の向上が図れる。また、前記風向変更羽根３６の姿勢を更に下方に1段階のみ変更させることにより制御の簡素かと設計工数の低減が図れる。
【００２６】
また、Ｓ５の前記所定温度Ｔ１を高圧側が異常な圧力上昇した場合に、圧縮機の信頼性を確保し、且つ熱交換器等の破損を防ぐために圧縮機停止の保護制御がはたらく温度（例えば６０℃）と暖房運転開始時等に配管温度検出手段２３で検出された配管温度Ｔｈが十分に温まるまでは、使用者へ冷風が当たらないように前記風向変更羽根３６を略水平方向とする制御がはたらく上限温度（例えば３０℃）との間で設定することにより、圧縮機の信頼性確保と冷風感防止となり快適性の向上が図れる。
【００２７】
また、Ｓ１にてリモコン４０から送信される風量信号に基づいて、室内ファン制御手段６を介して室内ファン２２の回転数を弱、中風−、中風、中風＋、強風の５段階に制御され、室内ファンの回転数が所定値以上（例えば中風以上）の場合は、前記風向変更羽根３６の姿勢変更は行わないことで、暖房能力を低下させることなく快適性の向上が図れる。
【図面の簡単な説明】
【００２８】
【図１】本発明の空気調和機の制御方法を採用した室内機の概略断面図
【図２】空気調和機の制御系統を示したブロック図
【図３】本発明の空気調和機の制御方法を採用したフローチャート
【図４】本発明の空気調和機の制御方法を採用したフローチャート
【符号の説明】
【００２９】
４  室内機
１８  室内熱交換器
２２  室内ファン
２４  配管温センサ
２６  吸込温センサ
３０  吸込口
３２  吹出口
３６  風向変更羽根
４０  リモコン
【図１】
2005201490.tif 000003
【図２】
2005201490.tif 000004
【図３】
2005201490.tif 000005
【図４】
2005201490.tif 000006